(57)【要約】本発明のパレットは、２枚の積重ねられた下板部材（１、２）、カバーとして作用する上板部材（３）及び上記両下板部材に設けられた多角形開口（５、５’）に取付けられる、複数の逆四角錐台形の支持部材（４）により形成される。これらの全ての構成部材は波形ボール紙を用いて形成される。上記パレットの新規性は、上記支持部材（４）が当該支持部材の下支持表面部を形成する中央領域（１１）、矩形領域（１２）及び２つの三角形領域の中央ラインに沿って折畳んでアコーディオン状に形成される、一双三角形領域（１３）により十字形に形成されることにある。上記領域を折畳むことにより形成される支持部材は、上記開口（５）における凹部（６）に、当該支持部材が適正に配置されるようにした、頂部横フラップ（１２’）を有する。上記支持部材（４）は、最終的に、上記領域（１３）及びフラップ（１２’）に接着剤を塗布してこれらの領域（１３）及びフラップ（１２’）が上記下板状部材材（２）とカバー部材（３）間に保持されるように取付けられる。
2004517010.tif 000002
【特許請求の範囲】
【請求項１】
互いに重ね合わされるとともに接着される、２枚の波形ボール紙シートであって、これらの両シートにより形成される本体部に設けられた開口（５、５’）に、これもまたボール紙により形成された複数の脚部（４）が装着されるようにした、１対の波形ボール紙シート（１、２）により形成され、上記上シート（１）に重ね合わされるとともに接着される、上ボール紙カバー（３）を含む、ボール紙パレットにおいて、
各脚部（４）は、当該脚部の支持基部を画定する中央領域に集合させられる一連の領域（１２）を形成した多角形の輪郭部分を含み；
上記領域（１２）に複数対の領域（１３）が形成され、これらの各対の領域（１３）は折畳み可能とされる中間折畳みライン（１５）により区画され、該中間折畳みライン（１５）と組合せて上記各対の領域（１３）に対し上記領域（１２）を区画し、各対の領域（１３）を折畳むことにより椀形状をもって脚部（４）自体を形成可能とし；
上記領域（１２）は伸長されて当該脚部の輪郭から突出する端フラップ部を画定する延長部（１２’）が形成され、上記フラップ部は上シート（１）における開口（５）に設けられた対応するノッチ（６）に位置決めされ、これらのフラップ部（１２’）は上記上シート（１）のノッチ（６）を介して露出する下シート（２）の表面部に接着することにより固定され、
上記脚部（４）は、選択された可塑剤による表面処理若しくは可塑剤の塗布処理又はこれらを組合せて切断することなく形成することから、最終的に、完全に防水状態とされた支持又は外面部を有するものとされたことを特徴とする、改良型ボール紙パレット。
【請求項２】
脚部（４）の多角形輪郭が、当該脚部（４）の平面形状を四辺形とするように、少なくとも４つの領域（１２）を形成していることを特徴とする、請求項１に記載の改良型ボール紙パレット。
【請求項３】
複数の脚部（４）を取付ける両波形ボール紙シート（１、２）の開口（５、５’）が、上ボール紙シート（１）に、当該脚部（４）のフラップ部（１２’）を位置決めするように設けられたノッチ（６）と一緒に多角形の輪郭を有するものとされたことを特徴とする、請求項１又は請求項２に記載の改良型ボール紙パレット。
【請求項４】
脚部（４）の領域（１２）が矩形とされるとともに、当該脚部が形成されるボール紙部分を展開した平面において十字形又はそれと同類の形状に配列され、これらの矩形領域（１２）が中央領域（１１）にて交差され、該中央領域（１１）が上記脚部（４）の支持基部を区画する一方、上記矩形領域（１２）間に形成された各対の三角形領域（１３）が、当該両三角形領域（１３）に共通に形成する折り畳みライン（１５）の対応する縁端部に、上記全ての領域を折畳みかつ当該脚部を形成可能とする角ノッチ（１６）を有し、各対の三角形領域（１３）を折畳むことにより形成される、各頂部が当該脚部（４）を形成する四角錐台形の椀体における開放基部における中央部分に集合されるようにしたことを特徴とする、請求項１〜請求項３のいずれかに記載の改良型ボール紙パレット。
【請求項５】
上ボール紙シート（１）に重ね合わされるとともに該上ボール紙シート（１）の対応ノッチ（６）に脚部（４）の各フラップ（１２’）を固定するカバー（３）が、折畳まれかつボール紙シート（２）の下面部に接着して固定される、周辺フラップ部（７）を有し、これらのフラップ部（７）に、対応する折畳み用の折畳みライン（８）に加えて中間折畳みライン（８’）を設けることにより当該フラップ（７）を下方にかつ内方に押圧可能とし、これらの折畳みライン（８、８’）間に画定される帯域（９）の幅が上記両シート（１、２）の厚みに対応する大きさとされ、下方への押圧及び上記シート（２）の下面部に上記フラップ部（７）を重ね合わせ可能としたことを特徴とする、請求項１〜請求項４のいずれかに記載の改良型ボール紙パレット。
【発明の詳細な説明】
【０００１】
（技術分野）
本発明は、ボール紙を用いて形成される、ボール紙パレットの改良に関する。
【０００２】
（背景技術）
現在、従来の木製パレットの他に、ボール紙製パレットが使用されており、このボール紙パレットは、勿論、より一段と経済的なものである。一方、ボール紙パレットは、頻繁に積重ねられる床面又は表面部が湿気を帯びると著しく劣化することとなり、その脚部の強度が不足するという重大な欠点がある。この床面における湿気が、その脚部を形成するボール紙を通して浸入して品質を劣化させ、結局、当該パレットは使用不能となる。
【０００３】
更に、脚部の形状は、それらの脚部の一部分を形成する部分及び／又はフラップ部を裁断するとともに貼着しなければならず、また、仕上り形状を満足させるだけではなく、脚部に適当な強度を持たせなければならないという欠点がある。
【０００４】
（本発明の目的）
本発明は、発明の名称の記載から明らかなように、ある要素及び／又は構成部分、特に、脚部の強度及び耐久性をより一段と増強する、構成及び装着により形成される、パレット用の脚部であって、切断部分とか積重ね部分も無く、椀状の中空体を形成する適当な折畳みラインを具備するボール紙部材により形成され、水がボール紙の波形部を介して浸入できないように封止された脚部を有する、改良したボール紙パレットを提供することを目的とするものである。
【０００５】
（発明の開示）
本発明のパレットは、全体がボール紙により形成されるものであり、波形ボール紙シートを互いに接着するとともに固着して当該パレットの本体部を形成し、これもまたボール紙から形成される複数の脚部を補填し、上部が上記ボール紙シートの周辺を包囲するカバーで被覆するものであって、次のことに特徴がある。即ち、各脚部は、まず、波形ボール紙から成る紙片を折畳んで形成され、これらのボール紙紙片の輪郭は、１つの領域から十字状に派生する４つの領域と、当該脚部の支持基部を形成する中央領域とを含む多角形とされ、上記４つの領域における各間部に、外側頂部にノッチを備えた二重三角形領域が形成され、これら各対の三角形領域は集合させられる。これら全ての領域は、折畳みラインで区画され、各矩形領域は個別の伸長部分を有し、これらの伸長部は上記ボール紙片の総輪郭に対し突出し、当該パレットの本体部の表面部に位置決めされるとともに固着され、特に、上述したように互いに接着されかつ固着されたシートの多角形の開口部にノッチが設けられ、上記折畳みラインに沿って適当に折畳んで脚部を形成してから該脚部が上記開口を介して挿入されるようになっている。
【０００６】
各脚部の形態は、一旦形成されると、四角錐台形とされ、各対の三角形領域はプリーツ状に折畳まれ、各対の三角形領域のノッチを設けた折畳み部を形成する頂部が当該脚部を構成する四角錐台形体の開放上部の中心に会合させて大きな強度が付与される。脚部はその他の適当な形状のものとすることができる。
【０００７】
各脚部におけるフラップ部の上部の固定は、接着された２枚のシートにより形成される本体部の上部に重ね合わされるボール紙製カバーを介して行われる。このカバーは、下方に押圧されるとともに２枚のシートにより形成された上記本体部の下面部に接着剤により固着される伸長部又はフラップ部を有する。このようにして、パレットは２枚のシート及びカバーとにより形成され、互いに接着され、前述した方法で構築されるとともに装着された複数の脚部により補償される。
【０００８】
上記パレットが含む脚部の数量は、勿論、当該パレットのサイズ及びその荷重に応じたものとされるが、場合毎に適当な数とされ、上記脚部は切断部のみならず積み重ねフラップを一切有しないという特徴を示し、これらの脚部の外面が防水面とされ、脚部の構造と組み合わせて従来形式のパレットより大きな耐久性及び強度を有するものとされる。
【０００９】
脚部の装着は、簡単、迅速かつ安価に為し得、加圧、パンチング、吸引により行うことができる。
【００１０】
他の基本的な特徴は、波形ボール紙におけるチャンネルの配向が２枚のシートにおいて直交状とされ、一方のシートにおけるチャンネルは、他方のシートのチャンネルに対して横断方向に延びる一方、カバーにおけるチャンネルは下シートに対応するチャンネルと同様に配向され、これらの全てのチャンネルは、当該パレット構造の堅実性を大いに高める。
【００１１】
（本発明の実施例）
本発明を直ちに実施できるようにするとともに本発明の特徴のより良い理解の一助となるようにするため、本明細書に添付された図面に基いて本発明の目的に沿って製作されたボール紙パレットの改良点及び特徴が容易に理解されよう。
【００１２】
図１に、本発明の目的を実施するパレットの主要部に含まれる、種々の構成部分を拡大した斜視図が示される。上記パレットにおいて、対応する開口又は穴、仕上がり形態の脚部及び上カバーを具備した２枚の下シートが設けられ、波形ボール紙のチャンネルの配向を理解するために部分的に抽出した部分が詳細に示される。チャンネルは、上記２枚の下シートにおいて互いに直交状とされる一方、上カバーのチャンネルは、下シートにおけるチャンネルの配向と同様とされる。
【００１３】
図２に、２枚の下シートにおける特殊形状の開口及び拡大参照部分の角部に対応する上カバー部分と一緒に、脚部を固定する方法を説明するための該当部分の分解拡大斜視が示される。
【００１４】
図３には、本発明に係るパレットを形成する基本的構成部分の脚部を形成する、ボール紙部分を展開した平面図が示され、図４には、上記脚部を形成するために図３に示される展開体の折畳み工程の中間位相における斜視図が示され、図５には、実際に構成されたパレットにおける脚部の固定部の断面図が示される。
【００１５】
添付図面を見ると、本発明のパレットは、どのようにして、１対のシート１、２を互いに重ね合せるとともに接着剤により固着して構成されるかが示され、これらのシート１、２及びカバー３により形成される構造体に上カバー３及び脚部４のアレイが適当に連結されている。これらの全ての構成部分は波形ボール紙から製造され、シート１、２におけるチャンネル１４は直交するように配向される一方、カバー３のチャンネル１４は、該カバー３が載置される上シート１に、該上シート１におけるチャンネルと直交する方位を示し、したがって、下シート２のチャンネルと同じ方位とされる。
【００１６】
上記シート１、２は多角形の開口又は穴５、５’を有し、これらの穴に脚部が差し込まれることから、これらの開口又は穴は脚部の輪郭と相補的な輪郭を有し、上記上シート１の穴５は、各対毎に対向する４つの矩形ノッチ５、言い換えれば、交差する４つの矩形ノッチ５が現れるという特徴を有する。
【００１７】
カバー３として、一対の折畳みライン８、８’から始まる周辺伸長部又はフラップ７が現れ、折畳みライン８により画定される輪郭がこれらのシートの輪郭と対応する一方、２つの折畳みライン８、８’間に画定される帯域９が２枚のシート１、２重ね合わせるとともに互いに接着して形成される厚み部分と対応する。まず、折畳みライン８’から始めて、これらのフラップ７が押込まれるとともに下方に折畳まれ、図５に明瞭に示されるように、下シート２の下面部に接着剤により接着される。
【００１８】
対応する脚部４の取り付け方法に応じて、カバー３は開口１０を有するか又は有しないものとされ、特に、この取付けがプレス法又は打抜き法により為されるのであれば、該開口１０を介してこの取付けが為されるようにし、吸引法により為されるのであれば、上記開口１０は設けられない。
【００１９】
脚部４に関して、各脚部は、図３に示されるような展開図の多角形ボール紙により形成される。該多角形ボール紙には、交差する矩形領域１２により画定される中央領域１１が存在する。交差する矩形領域１２の領域部分間に各対の三角形領域１３が形成され、各対の三角形領域１３が折畳みライン１５により区画され、該折畳みライン１５に応じて、即ち、両三角形領域１３巻の共通縁部にノッチ１６が設けられ、これらの折畳みライン１５に沿って折畳むことにより三角形領域１３が折畳まれて内側又は外側に向うプリーツ状とされるとともに、折畳みライン１７を介して各対の三角形領域１３に対し矩形領域１２が区画される。これらの矩形領域１２は順番に伸長されて各折畳みライン１８により区画されるフラップ部を形成する伸展部１２’とされ、折畳みライン１５、１７及び１８を介して、図４に示されるように折畳むことにより、ボール又は椀形の脚部構造体が得られる。該脚部構造体において、折畳みライン１５を形成する縁部が内側に向けて又は外側に向けて配列されるとともにノッチ１６に対応する頂部が中心部に集中され、矩形領域１２により形成された平坦側面部が形成される一方、三角形領域１３が内側又は外側のいずれの側に向ってアコーディオン状に折畳まれる。矩形領域１２の伸長部によって形成されるフラップ１２’は、水平配置部を有し、当該パレットの構造体に脚部を取付ける際、これらの脚部は、それぞれ、これらのフラップ部１２’と同じ輪郭を有するノッチ又は凹部６に配置され、これらの脚部は上記ノッチ６を介して露出された表面部に支持されるとともに接着剤により固着される。
【００２０】
一旦、これらの脚部４が、前述したようにして、取付けられるとともに位置決めされると、カバー３を配列することにより仕上げ固定がなされる。上記カバー３は上シート１上に支持されたままとされるとともに、該カバー３の背面部は、勿論、該上シート１におけるノッチ６に配置されたフラップ部１２’と隣接され、これらのフラップ部１２’及びシート１は同一平面に置かれ、該シート１上にカバー３が載置されるとともに該カバー３に接着剤により固着され、各フラップ部１２’はシート１、２により形成された厚み部を包囲するとともに、カバー３の各フラップ部７は、図５に示されるように、下シート２の下面に接着される。
【００２１】
最終的に、各脚部４の外面は、可塑化薄膜を塗布するか又は化学品を塗布するかのいずれかの手段により適当に処理し、何れの場合にも、当該ボール紙の波形部分を切断したり隠蔽することなく、当該脚部の形態と組合せて外面に防水処理を施し、ボール紙を通して湿気の浸入を防止し、よって、当該パレットを強靭なかつ耐用性の高いものとする。
【図面の簡単な説明】
【図１】本発明の実施例のパレットの主要部に含まれる、種々の構成部分の拡大斜視図である。
【図２】上記パレットにおける２枚の下シートにおける特殊形状の開口に脚部を装着する方法を説明するための分解拡大斜視図である。
【図３】本発明に係るパレットを形成する基本的構成部分の脚部を形成する、ボール紙部分の展開平面図である。
【図４】上記脚部を形成するために図３に示される展開体の折畳み工程の中間位相における斜視図である。
【図５】実際に構成されたパレットにおける脚部の固定方法を示す断面図である。
【符号の説明】
１  波形ボール紙製の下シート
２  波形ボール紙製の下シート
３  波形ボール紙製の上カバー
４  脚部（支持部材）
５  開口又は穴
６  ノッチ
７  フラップ
８、８’  折畳みライン
９  帯域（バンド領域）
１０  開口
１１  脚部における中央領域
１２  矩形領域
１３  三角形領域
１４  チャンネル
１５  折畳みライン
１６  ノッチ
１７  折畳みライン
１８  折畳みライン
【国際公開パンフレット】
2004517010.tif 000003
2004517010.tif 000004
2004517010.tif 000005
2004517010.tif 000006
2004517010.tif 000007
2004517010.tif 000008
2004517010.tif 000009
2004517010.tif 000010
2004517010.tif 000011
2004517010.tif 000012
2004517010.tif 000013
2004517010.tif 000014
2004517010.tif 000015
2004517010.tif 000016
2004517010.tif 000017
2004517010.tif 000018
【国際調査報告】
2004517010.tif 000019
2004517010.tif 000020
2004517010.tif 000021
2004517010.tif 000022